(57)【要約】【課題】  情報が印字あるいは記入される複数の情報表示欄を有する印刷物について、この情報表示欄に印字あるいは記入された情報が読み取られて出力される場合に、手間をかけることなく、複数の情報表示欄のうち所望の情報表示欄の情報のみを出力する。【解決手段】  カードを用いて料金を支払うサービスを指定する支払指定領域１３において、電話会社名とそのチェック欄とに、青色の可視光のみを反射する青色印刷１３ａを施し、また、ガス会社名とそのチェック欄とに、赤色の可視光のみを反射する黄色印刷１３ｂを施す。【選択図】図１
2006297790.tif 000002
【特許請求の範囲】
【請求項１】
情報が印字あるいは記入される複数の情報表示欄を有してなる印刷物において、
前記複数の情報表示欄は、互いに異なる波長を具備する可視光のみを反射し、その他の波長を具備する可視光を吸収する印刷がそれぞれ施されていることを特徴とする印刷物。
【請求項２】
請求項１に記載の印刷物において、
前記複数の情報表示欄は、
青色光のみを反射し、その他の可視光を吸収する印刷が施された第１の情報表示欄と、
赤色光のみを反射し、その他の可視光を吸収する印刷が施された第２の情報表示欄とを有することを特徴とする印刷物。
【請求項３】
請求項１または請求項２に記載の印刷物に記載された情報を画像データとして読み取る画像読取装置であって、
印刷物に対して指定された波長を具備する可視光を照射した状態にて前記印刷物から読み取られた画像データを出力する読み取り手段と、
前記波長を指定する指定手段とを有する画像読取装置。
【発明の詳細な説明】
【技術分野】
【０００１】
本発明は、情報が印字あるいは記入される情報表示欄を有してなる印刷物及びこれに記載された情報を読み取る画像読取装置に関する。
【背景技術】
【０００２】
近年、情報化社会の進展に伴い、カード等の情報記録媒体に所定の情報を書き込み、情報が書き込まれたカードによって個人認証を行うショッピング等を利用可能とするサービスが行われている。このようなカードは、ダイレクトメールとして送付されてきた申込用紙や、店舗等に設置された申込用紙に必要事項が記入され、この申込用紙がカード会社に送付されると、カード会社において、申込用紙に記入された事項が確認された後、カードが発行されて申込者に送付されることになる。ここで、申込用紙に記入すべき必要事項としては、申込者の氏名や住所、連絡先電話番号とともに、利用したショッピング等の代金を引き落とす口座の口座番号がある。申込用紙にこの口座番号を記入しておくことにより、ショッピング等の代金を利用者が指定する口座から引き落とすことができ、それにより、利用者は現金を持ち歩かなくてもショッピング等を利用することができるようになる。
【０００３】
また、最近では、上述したようなカードを用いて、電気やガス、電話等の公共料金の支払いを行うこともできる。カードを用いて公共料金の支払いを行う場合は、カード会社からダイレクトメールとして送付されてきた申込書や、カード会社の店舗等に設置された申込書に必要事項を記入し、この申込書をカード会社に送付する。すると、カード会社において、カードを用いた支払いが指定された公共サービスの種類に応じて、その公共サービスの提供元となる電力会社やガス会社、電話会社にその申込書が送付され、指定された公共料金がカードの支払い口座から引き落とされることになる。
【０００４】
図１０は、公共料金をカードを用いて支払う旨を申し込むための従来のカード支払い申込書の一例を示す図であり、（ａ）は表面から見た図、（ｂ）は裏面から見た図、（ｃ）は（ａ）に示したＡ−Ａ’断面図である。
【０００５】
本従来例は図１０に示すように、表面にこのカード支払い申込書の送付先となる宛先を示す宛先情報５１１が記載され、裏面が申込書となる申込片５１０と、折り線５３０を介して申込片５１０に折り畳み可能に連接し、申込片５１０に貼着されることにより、申込片５１０の裏面に記入された情報を隠蔽するための隠蔽片５２０とから構成されている。申込片５１０は、ベース基材５５０の表面に宛先情報５１１が記載され、また、ベース基材５５０の折り線５３０を介して折り畳まれた場合に隠蔽片５２０と対向する面が申込書となって、カード支払いについての説明となる説明情報５１２が記載されるとともに、カードを用いて料金を支払う公共サービスを指定するための支払指定領域５１３と、申込者の氏名や住所、連絡先電話番号を記入するための顧客情報記入領域５１４と、支払指定領域５１３にて指定された公共サービスの料金を支払うためのカード番号等のカード情報を記入するためのカード情報記入領域５１５とが設けられている。また、隠蔽片５２０は、表面に広告等の情報５２１が記載されるとともに、ベース基材５５０の折り線５３０を介して折り畳まれた場合に申込片５１０と対向する面に、再剥離再貼着が可能な粘着剤５６０が塗布されており、この粘着剤５６０上に、紙基材５４１の一方の面に剥離剤５４２が塗布されてなる剥離紙５４０が貼着されている。また、紙基材５４１の剥離剤５４２が塗布されていない面には、広告等の情報５２２が記載されている。なお、本従来例においては、支払指定領域５１３において、カードを用いて料金を支払う公共サービスとして電話とガスとが指定可能となっている。
【０００６】
以下に、上記のように構成されたカード支払い申込書の使用方法について説明する。
【０００７】
図１０に示したカード支払い申込書を用いて公共料金のカード支払いを申し込む場合、まず、支払指定領域５１３に記載された公共サービスのうち、カードを用いてその料金を支払う公共サービスを、公共サービス毎に設けられたチェック欄にチェックを記入することにより指定する。
【０００８】
次に、申込者の氏名や住所、連絡先電話番号を顧客情報記入領域５１４に記入するとともに、支払指定領域５１３にて指定された公共サービスの料金を支払うためのカード番号等のカード情報をカード情報記入領域５１５に記入する。
【０００９】
その後、隠蔽片５２０の剥離紙５４０を剥離し、折り線５３０を介してベース基材５５０を折り畳み、粘着剤５６０によって申込片５１０と隠蔽片５２０とを剥離可能に貼着する。
【００１０】
図１１は、図１０に示したカード支払い申込書を折り畳んだ状態を示す図であり、（ａ）は申込片５１０側から見た図、（ｂ）は隠蔽片５２０側から見た図、（ｃ）は（ａ）に示したＡ−Ａ’断面図である。
【００１１】
図１０に示したカード支払い申込書を折り畳み、粘着剤５６０によって申込片５１０と隠蔽片５２０とを剥離可能に貼着すると、図１１に示すように、申込片５１０の裏面に記入された情報が隠蔽片５２０によって隠蔽されることになる。
【００１２】
この状態でカード支払い申込書を送付すると、このカード支払い申込書は宛先情報５１１によってカード会社に送付される。
【００１３】
カード会社においては、カード支払い申込書が受け取られると、隠蔽片５２０が申込片５１０から剥離され、申込片５１０の申込書となる面が複写され、複写された申込書が、支払指定領域５１３にて指定された公共サービスの種類に応じて、その公共サービスの提供元となる電話会社とガス会社に送付されることになる。例えば、支払指定領域５１３にて電話が指定されている場合は、複写された申込書が電話会社に送付され、また、支払指定領域５１３にてガスが指定されている場合は、複写された申込書がガス会社に送付されることになる。
【００１４】
その後、複写された申込書が送付されてきた公共サービスの提供先において、送付されてきた申込書の複写が保管されたり、画像データとして読み取られてファイリングされたりしている。
【００１５】
このようにカード支払いの申し込みが行われた後、支払指定領域５１３にて指定された公共料金が、カード情報記入領域５１５に記入されたカードの支払い口座から引き落とされることになる。
【発明の開示】
【発明が解決しようとする課題】
【００１６】
上述したようなカード支払い申込書においては、指定された公共サービスの種類に応じて、その公共サービスの提供元に複写された申込書が送付されることになるが、指定された公共サービスの提供元に送付される申込書の複写には、申込書に記載された事項が全て含まれているため、申込書にて複数の公共サービスの料金のカード支払いの申し込みが可能となっている場合、複写された申込書の送付先において、カード支払いを申し込んだ申込者が、申込書にて指定可能な他の公共サービスの料金についてカード支払いを申し込んでいるかどうかが知られてしまうという問題点がある。例えば、図１０に示したカード支払い申込書において、支払指定領域１１３にて電話とガスとが指定されている場合、この申込書の複写が電話会社に送信されると、この申し込みを行った申込者がガス料金についてもカードを用いて支払いを申し込んでいる旨が電話会社に知られてしまう。
【００１７】
ここで、公共サービスの提供元に複写された申込書を送付する際に、複写された申込書の送付先ではない公共サービスについてカード支払いが指定されているかどうかを隠蔽シールを用いて隠蔽することが考えられるが、その場合、複写された申込書の送付先毎に隠蔽シールを貼り替えなければならず、そのための手間がかかってしまうという問題点がある。
【００１８】
本発明は、上述したような従来の技術が有する問題点に鑑みてなされたものであって、情報が印字あるいは記入される複数の情報表示欄を有する印刷物について、この情報表示欄に印字あるいは記入された情報が読み取られて出力される場合に、手間をかけることなく、複数の情報表示欄のうち所望の情報表示欄の情報のみを出力することができる印刷物及びこれに記載された情報を読み取る画像読取装置を提供することを目的とする。
【課題を解決するための手段】
【００１９】
上記目的を達成するために本発明は、
情報が印字あるいは記入される複数の情報表示欄を有してなる印刷物において、
前記複数の情報表示欄は、互いに異なる波長を具備する可視光のみを反射し、その他の波長を具備する可視光を吸収する印刷がそれぞれ施されていることを特徴とする。
【００２０】
上記のように構成された本発明においては、複数の情報表示欄にそれぞれ施された印刷に応じて、互いに異なる波長を具備する可視光が照射された状態にて情報表示欄に印字あるいは記入された情報が読み取られると、複数の情報表示欄のうち、照射された可視光の波長のみを反射し、その他の波長を具備する可視光を吸収する印刷が施された情報表示欄に印字あるいは記入された情報のみが読み取られ、他の情報表示欄に印字あるいは記入された情報は隠蔽されることになる。
【００２１】
また、前記印刷物に記載された情報を画像データとして読み取る画像読取装置であって、
印刷物に対して指定された波長を具備する可視光を照射した状態にて前記印刷物から読み取られた画像データを出力する読み取り手段と、
前記波長を指定する指定手段とを有する。
【００２２】
このように構成された画像読取装置においては、指定手段にて波長が指定されると、指定された波長を具備する可視光が印刷物に照射された状態にて印刷物から読み取られた画像データが出力される。
【発明の効果】
【００２３】
以上説明したように本発明においては、情報が印字あるいは記入される複数の情報表示欄を有してなる印刷物において、複数の情報表示欄には、互いに異なる波長を具備する可視光のみを反射し、その他の波長を具備する可視光を吸収する印刷がそれぞれ施されている構成としたため、この印刷物に所定の波長を有する可視光を照射して情報表示欄に印字あるいは記入された情報を読み取ると、複数の情報表示欄のうち、照射された可視光の波長のみを反射し、その他の波長を具備する可視光を吸収する印刷が施された情報表示欄に印字あるいは記入された情報のみが読み取られ、他の情報表示欄に印字あるいは記入された情報は隠蔽されることになり、その後、情報表示欄に印字あるいは記入された情報を出力する場合であっても、手間をかけることなく、複数の情報表示欄のうち所望の情報表示欄の情報のみを出力することができる。
【発明を実施するための最良の形態】
【００２４】
以下に、本発明の実施の形態について図面を参照して説明する。
【００２５】
図１は、本発明の印刷物の実施の一形態となるカード支払い申込書の一例を示す図であり、（ａ）は表面から見た図、（ｂ）は裏面から見た図、（ｃ）は（ａ）に示したＡ−Ａ’断面図である。
【００２６】
本形態は図１に示すように、表面にこのカード支払い申込書の送付先となる宛先を示す宛先情報１１が記載され、裏面が申込書となる申込片１０と、折り線３０を介して申込片１０に折り畳み可能に連接し、申込片１０に貼着されることにより、申込片１０の裏面に記入された情報を隠蔽するための隠蔽片２０とから構成されている。申込片１０は、ベース基材５０の表面に宛先情報１１が記載され、また、ベース基材５０の折り線３０を介して折り畳まれた場合に隠蔽片２０と対向する面が申込書となって、カード支払いについての説明となる説明情報１２が記載されるとともに、カードを用いて料金を支払う公共サービスを指定するための支払指定領域１３と、申込者の氏名や住所、連絡先電話番号を記入するための顧客情報記入領域１４と、支払指定領域１３にて指定された公共サービスの料金を支払うためのカード番号等のカード情報を記入するためのカード情報記入領域１５とが設けられている。また、隠蔽片２０は、表面に広告等の情報２１が記載されるとともに、ベース基材５０の折り線３０を介して折り畳まれた場合に申込片１０と対向する面に、再剥離再貼着が可能な粘着剤６０が塗布されており、この粘着剤６０上に、紙基材４１の一方の面に剥離剤４２が塗布されてなる剥離紙４０が貼着されている。また、紙基材４１の剥離剤４２が塗布されていない面には、広告等の情報２２が記載されている。なお、本形態においては、支払指定領域１３において、カードを用いて料金を支払う公共サービスとして電話とガスとが指定可能となっており、電話会社名とそのチェック欄とが第１の情報表示欄となって青色印刷１３ａが施され、また、ガス会社名とそのチェック欄とが第２の情報表示欄となって黄色印刷１３ｂが施されている。
【００２７】
以下に、上記のように構成されたカード支払い申込書の使用方法について説明する。
【００２８】
図１に示したカード支払い申込書を用いて公共料金のカード支払いを申し込む場合、まず、支払指定領域１３に記載された公共サービスのうち、カードを用いてその料金を支払う公共サービスを、公共サービス毎に設けられたチェック欄にチェックを記入することにより指定する。
【００２９】
次に、申込者の氏名や住所、連絡先電話番号を顧客情報記入領域１４に記入するとともに、支払指定領域１３にて指定された公共サービスの料金を支払うためのカード番号等のカード情報をカード情報記入領域１５に記入する。
【００３０】
その後、隠蔽片２０の剥離紙４０を剥離し、折り線３０を介してベース基材５０を折り畳み、粘着剤６０によって申込片１０と隠蔽片２０とを剥離可能に貼着する。
【００３１】
図２は、図１に示したカード支払い申込書を折り畳んだ状態を示す図であり、（ａ）は申込片１０側から見た図、（ｂ）は隠蔽片２０側から見た図、（ｃ）は（ａ）に示したＡ−Ａ’断面図である。
【００３２】
図１に示したカード支払い申込書を折り畳み、粘着剤６０によって申込片１０と隠蔽片２０とを剥離可能に貼着すると、図２に示すように、申込片１０の裏面に記入された情報が隠蔽片２０によって隠蔽されることになる。
【００３３】
この状態でカード支払い申込書を送付すると、このカード支払い申込書は宛先情報１１によってカード会社に送付される。
【００３４】
カード会社においては、カード支払い申込書が受け取られると、隠蔽片２０が申込片１０から剥離され、画像読取装置となるファクシミリ装置において、申込片１０の申込書となる面が画像データとして読み取られ、支払指定領域１３にて指定された公共サービスの種類に応じて、その公共サービスの提供元となる電話会社とガス会社にその画像データが送信されることになる。例えば、支払指定領域１３にて電話が指定されている場合は、申込書の画像データが電話会社に送信され、また、支払指定領域１３にてガスが指定されている場合は、申込書の画像データがガス会社に送信されることになる。
【００３５】
図３は、図１に示したカード支払い申込書に記載された情報を読み取って画像データとして送信する画像読取装置であるファクシミリ装置の第１の実施の形態を示す図である。
【００３６】
本形態におけるファクシミリ装置は図３に示すように、図１に示したカード支払い申込書の支払指定領域１３のうち青色印刷１３ａが施された領域と黄色印刷１３ｂが施された領域とのいずれの領域に印字及び記入された情報を読み取るかを印刷色にて指定するための指定手段である印刷色指定部３と、印刷色指定部３にて指定された印刷色にて反射する可視光を照射しながらカード支払い申込書に印字あるいは記入された情報を読み取って画像データとして出力する読み取り手段である画像読取部２と、画像読取部２から出力された画像データを表示する読み取り画像表示部４と、画像読取部２から出力された画像データの送信先を設定するための送信先設定部１と、画像読取部２から出力された画像データを送信先設定部１にて設定された送信先に送信する読み取り画像送信部５と、これらを制御する制御部６とから構成されている。また、画像読取部２は、印刷色指定部３にて指定された印刷色にて反射する可視光をカード支払い申込書に照射する光照射部２ａと、カード支払い申込書に印字あるいは記入された情報を読み取る読取部２ｂとから構成されている。
【００３７】
図４は、図１に示したカード支払い申込書に印字あるいは記入された情報が図３に示したファクシミリ装置にて読み取られその画像データが送信されるまでの処理を説明するためのフローチャートである。
【００３８】
まず、支払指定領域１３にてチェック欄にチェックが記入されている公共サービスについて、その公共サービスの提供元の名称及びそのチェック欄が印字された領域に印刷が施された色が印刷色指定部３にて指定される（ステップＳ１）。例えば、支払指定領域１３にて電話会社のチェック欄にチェックが記入されている場合は青色が指定され、また、支払指定領域１３にてガス会社のチェック欄にチェックが記入されている場合は黄色が指定される。また、支払指定領域１３にて電話会社とガス会社の両方のチェック欄にチェックが記入されている場合は、まず、青色及び黄色のうち一方の色が指定され、後述する一連の処理が行われた後に他方の色が指定されることになる。
【００３９】
次に、カード支払い申込書の申込片１０の裏面の申込書に記載された情報が画像読取部２にて読み取られて画像データとして出力される（ステップＳ２）。画像読取部２においては、まず、光照射部２ａにおいて、印刷色指定部３にて指定された印刷色にて反射する波長を有する可視光がカード支払い申込書に照射される。例えば、印刷色指定部３にて青色が指定された場合は青色の可視光が照射され、また、印刷色指定部３にて黄色が指定された場合は赤色の可視光が照射されることになる。すなわち、印刷色指定部３においては、光照射部２ａから照射される可視光の波長が指定されることになる。その状態において、カード支払い申込書の申込片１０の裏面の申込書に記載された情報が読取部２ｂにて読み取られて画像データとして出力される。
【００４０】
画像読取部２から出力された画像データは、制御部６における制御によって読み取り画像表示部４に表示される（ステップＳ３）。
【００４１】
図５は、図１に示したカード支払い申込書に記載された情報が図３に示したファクシミリ装置にて読み取られて表示された状態を示す図であり、（ａ）は印刷色指定部３にて青色が指定された場合の状態を示す図、（ｂ）は印刷色指定部３にて黄色が指定された場合の状態を示す図である。
【００４２】
印刷色指定部３にて青色が指定された場合は、上述したように光照射部２ａから青色の可視光が照射されながら、カード支払い申込書に印字及び記入された情報が読み取られるが、カード支払い申込書の支払指定領域１３においては、青色印刷１３ａと黄色印刷１３ｂが施されており、青色印刷１３ａは青色の波長を有する可視光を反射し、黄色印刷１３ｂは青色の波長を有する可視光を吸収するため、図５（ａ）に示すように、青色印刷１３ａが施された領域は電話会社名及びそのチェック欄が表示され、黄色印刷１３ｂが施された領域は黒くなってガス会社名及びそのチェック欄が隠蔽された状態となる。
【００４３】
一方、印刷色指定部３にて黄色が指定された場合は、上述したように光照射部２ａから赤色の可視光が照射されながら、カード支払い申込書に印字及び記入された情報が読み取られるが、カード支払い申込書の支払指定領域１３においては、青色印刷１３ａと黄色印刷１３ｂが施されており、青色印刷１３ａは赤色の波長を有する可視光を吸収し、黄色印刷１３ｂは赤色の波長を有する可視光を反射するため、図５（ｂ）に示すように、青色印刷１３ａが施された領域は黒くなって電話会社名及びそのチェック欄が隠蔽され、黄色印刷１３ｂが施された領域はガス会社名及びそのチェック欄が表示された状態となる。
【００４４】
その後、送信先設定部１において、画像読取部２から出力された画像データの送信先が設定されると（ステップＳ４）、画像データが送信先に送信されることになる（ステップＳ５）。この際、印刷色指定部３にて青色が指定された場合は、送信先として電話会社が設定されることになり、また、送信される画像データが図５（ａ）に示したようなものとなるため、その申込者がガスの利用料金のカードによる支払いを申し込んだかどうかが電話会社に知られることはない。一方、印刷色指定部３にて黄色が指定された場合は、送信先としてガス会社が設定されることになり、また、送信される画像データが図５（ｂ）に示したようなものとなるため、その申込者が電話料金のカードによる支払いを申し込んだかどうかがガス会社に知られることはない。
【００４５】
このようにカード支払いの申し込みが行われた後、支払指定領域１３にて指定された公共料金が、カード情報記入領域１５に記入されたカードの支払い口座から引き落とされることになる。
【００４６】
図６は、図１に示したカード支払い申込書に記載された情報を読み取って画像データとして送信する画像読取装置であるファクシミリ装置の第２の実施の形態を示す図である。
【００４７】
本形態におけるファクシミリ装置は図６に示すように、図１に示したカード支払い申込書の支払指定領域１３のうち青色印刷１３ａが施された領域と黄色印刷１３ｂが施された領域とのいずれの領域に印字及び記入された情報を読み取るかを印刷色にて指定するための指定手段である印刷色指定部３と、カード支払い申込書に印字あるいは記入された情報を読み取り、読み取った情報を印刷色指定部３にて指定された印刷色にて反射する可視光を照射した状態にて読み取られた状態の画像データとして出力する読み取り手段である画像読取部１０２と、画像読取部１０２から出力された画像データを表示する読み取り画像表示部４と、画像読取部１０２から出力された画像データの送信先を設定するための送信先設定部１と、画像読取部１０２から出力された画像データを送信先設定部１にて設定された送信先に送信する読み取り画像送信部５と、これらを制御する制御部６とから構成されている。また、画像読取部１０２は、カード支払い申込書に印字あるいは記入された情報を読み取る読取部１０２ａと、読取部１０２ａにて読み取られた情報を印刷色指定部３にて指定された印刷色にて反射する可視光を照射した状態にて読み取られた状態の画像データとして出力する色調変換部１０２ｂとから構成されている。
【００４８】
図７は、図１に示したカード支払い申込書に印字あるいは記入された情報が図６に示したファクシミリ装置にて読み取られその画像データが送信されるまでの処理を説明するためのフローチャートである。
【００４９】
まず、支払指定領域１３にてチェック欄にチェックが記入されている公共サービスについて、その公共サービスの提供元の名称及びそのチェック欄が印字された領域に印刷が施された色が印刷色指定部３にて指定される（ステップＳ１０１）。例えば、支払指定領域１３にて電話会社のチェック欄にチェックが記入されている場合は青色が指定され、また、支払指定領域１３にてガス会社のチェック欄にチェックが記入されている場合は黄色が指定される。また、支払指定領域１３にて電話会社とガス会社の両方のチェック欄にチェックが記入されている場合は、まず、青色及び黄色のうち一方の色が指定され、後述する一連の処理が行われた後に他方の色が指定されることになる。
【００５０】
次に、カード支払い申込書の申込片１０の裏面の申込書に記載された情報が画像読取部１０２の読取部１０２ａにて読み取られ（ステップＳ１０２）、次に、画像読取部１０２の色調変換部１０２ｂにおいて、読取部１０２ａにて読み取られた情報が印刷色指定部３にて指定された印刷色にて反射する波長を有する可視光を照射した状態にて読み取られた状態の画像データとして出力される（ステップＳ１０３）。すなわち、印刷色指定部３においては、色調変換部１０２ｂにて照射した状態となる可視光の波長が指定されることになる。
【００５１】
画像読取部１０２の色調変換部１０２ｂから出力された画像データは、制御部６における制御によって読み取り画像表示部４に表示される（ステップＳ１０４）。ここで、色調変換部１０２ｂにおいては、読取部１０２ａにて読み取られた情報が印刷色指定部３にて指定された印刷色にて反射する波長を有する可視光を照射した状態にて読み取られた状態の画像データとして出力されるため、印刷色指定部３にて青色が指定された場合は、青色にて反射する波長を具備する青色の可視光を照射した状態にて読み取られた状態として出力され、それにより、図５（ａ）に示すように、青色印刷１３ａが施された領域は電話会社名及びそのチェック欄が表示され、黄色印刷１３ｂが施された領域は黒くなってガス会社名及びそのチェック欄が隠蔽された状態となる。一方、印刷色指定部３にて黄色が指定された場合は、黄色にて反射する波長を具備する赤色の可視光を照射した状態にて読み取られた状態として出力され、それにより、図５（ｂ）に示すように、青色印刷１３ａが施された領域は黒くなって電話会社名及びそのチェック欄が隠蔽され、黄色印刷１３ｂが施された領域はガス会社名及びそのチェック欄が表示された状態となる。
【００５２】
その後、送信先設定部１において、画像読取部１０２から出力された画像データの送信先が設定されると（ステップＳ１０５）、画像データが送信先に送信されることになる（ステップＳ１０６）。この際、印刷色指定部３にて青色が指定された場合は、送信先として電話会社が設定されることになり、また、送信される画像データが図５（ａ）に示したようなものとなるため、その申込者がガスの利用料金のカードによる支払いを申し込んだかどうかが電話会社に知られることはない。一方、印刷色指定部３にて黄色が指定された場合は、送信先としてガス会社が設定されることになり、また、送信される画像データが図５（ｂ）に示したようなものとなるため、その申込者が電話料金のカードによる支払いを申し込んだかどうかがガス会社に知られることはない。
【００５３】
このようにカード支払いの申し込みが行われた後、支払指定領域１３にて指定された公共料金が、カード情報記入領域１５に記入されたカードの支払い口座から引き落とされることになる。
【００５４】
図８は、図１に示したカード支払い申込書に記載された情報を読み取って画像データとして送信する画像読取装置であるファクシミリ装置の第３の実施の形態を示す図である。
【００５５】
本形態におけるファクシミリ装置は図８に示すように、図１に示したカード支払い申込書の支払指定領域１３のうち青色印刷１３ａが施された領域と黄色印刷１３ｂが施された領域とのいずれの領域に印字及び記入された情報を読み取るかを印刷色にて指定するための指定手段である印刷色指定部３と、印刷色指定部３にて指定された印刷色にて反射する可視光を照射しながらカード支払い申込書に印字あるいは記入された情報を読み取って画像データとして出力する読み取り手段である画像読取部２と、画像読取部２から出力された画像データを表示する読み取り画像表示部４と、画像読取部２から出力された画像データの送信先を設定するための送信先設定部１と、画像読取部２から出力された画像データを送信先設定部１にて設定された送信先に送信する読み取り画像送信部５と、図１に示したカード支払い申込書の支払指定領域１３のチェック欄にチェックが記入されているかどうかを検出するチェック有無検出部７と、これらを制御する制御部６とから構成されている。また、画像読取部２は、印刷色指定部３にて指定された印刷色にて反射する可視光をカード支払い申込書に照射する光照射部２ａと、カード支払い申込書に印字あるいは記入された情報を読み取る読取部２ｂとから構成されている。
【００５６】
図９は、図１に示したカード支払い申込書に印字あるいは記入された情報が図８に示したファクシミリ装置にて読み取られその画像データが送信されるまでの処理を説明するためのフローチャートである。
【００５７】
まず、支払指定領域１３に記載された公共サービスのうちどちらの公共サービスについての申し込みを処理するかを指定するために、申し込みを処理する公共サービスについて印刷が施された色が印刷色指定部３にて指定される（ステップＳ２０１）。例えば、電話の申し込みを処理する場合は青色が指定され、また、ガスの申し込みを処理する場合は黄色が指定される。
【００５８】
次に、チェック有無検出部７において、支払指定領域１３のうちステップＳ２０１にて指定された色の印刷が施されたチェック欄にチェックが記入されているかどうかが検出される（ステップＳ２０２）。
【００５９】
ステップＳ２０２にてチェック欄にチェックが記入されていることが検出された場合、そのカード支払い申込書の申込片１０の裏面の申込書に記載された情報が画像読取部２にて読み取られて画像データとして出力される（ステップＳ２０３）。画像読取部２においては、まず、光照射部２ａにおいて、印刷色指定部３にて指定された印刷色にて反射する波長を有する可視光がカード支払い申込書に照射される。例えば、印刷色指定部３にて青色が指定された場合は青色の可視光が照射され、また、印刷色指定部３にて黄色が指定された場合は赤色の可視光が照射されることになる。すなわち、印刷色指定部３においては、光照射部２ａから照射される可視光の波長が指定されることになる。その状態において、カード支払い申込書の申込片１０の裏面の申込書に記載された情報が読取部２ｂにて読み取られて画像データとして出力される。なお、ステップＳ２０１にて指定された色の印刷が施されたチェック欄にチェックが記入されていないカード支払い申込書については、画像読取部２における情報の読み取り処理は行われない。
【００６０】
画像読取部２から出力された画像データは、制御部６における制御によって読み取り画像表示部４に表示される（ステップＳ２０４）。
【００６１】
印刷色指定部３にて青色が指定された場合は、上述したように光照射部２ａから青色の可視光が照射されながら、カード支払い申込書に印字及び記入された情報が読み取られるが、カード支払い申込書の支払指定領域１３においては、青色印刷１３ａと黄色印刷１３ｂが施されており、青色印刷１３ａは青色の波長を有する可視光を反射し、黄色印刷１３ｂは青色の波長を有する可視光を吸収するため、青色印刷１３ａが施された領域は電話会社名及びそのチェック欄が表示され、黄色印刷１３ｂが施された領域は黒くなってガス会社名及びそのチェック欄が隠蔽された状態となる。
【００６２】
一方、印刷色指定部３にて黄色が指定された場合は、上述したように光照射部２ａから赤色の可視光が照射されながら、カード支払い申込書に印字及び記入された情報が読み取られるが、カード支払い申込書の支払指定領域１３においては、青色印刷１３ａと黄色印刷１３ｂが施されており、青色印刷１３ａは赤色の波長を有する可視光を吸収し、黄色印刷１３ｂは赤色の波長を有する可視光を反射するため、青色印刷１３ａが施された領域は黒くなって電話会社名及びそのチェック欄が隠蔽され、黄色印刷１３ｂが施された領域はガス会社名及びそのチェック欄が表示された状態となる。
【００６３】
その後、送信先設定部１において、画像読取部２から出力された画像データの送信先が設定されると（ステップＳ２０５）、画像データが送信先に送信されることになる（ステップＳ２０６）。この際、印刷色指定部３にて青色が指定された場合は、送信先として電話会社が設定されることになり、また、送信される画像データが図５（ａ）に示したようなものとなるため、その申込者がガスの利用料金のカードによる支払いを申し込んだかどうかが電話会社に知られることはない。一方、印刷色指定部３にて黄色が指定された場合は、送信先としてガス会社が設定されることになり、また、送信される画像データが図５（ｂ）に示したようなものとなるため、その申込者が電話料金のカードによる支払いを申し込んだかどうかがガス会社に知られることはない。
【００６４】
このようにカード支払いの申し込みが行われた後、支払指定領域１３にて指定された公共料金が、カード情報記入領域１５に記入されたカードの支払い口座から引き落とされることになる。
【００６５】
その後、支払指定領域１３に印刷が施された色のうちステップＳ２０１にて指定されなかった色が指定され、上述したものと同様の処理が行われる。
【００６６】
上述したように図８に示したファクシミリ装置においては、図１に示したカード支払い申込書の支払指定領域１３のチェック欄にチェックが記入されているかどうかを検出するチェック有無検出部７が設けられ、チェック欄にチェックが記入されていることが検出された場合に、そのカード支払い申込書の申込片１０の裏面の申込書に記載された情報が画像読取部２にて読み取られる構成であるため、チェック欄にチェックが記入されているかどうかを確認することなく、印刷色指定部３にて色を指定するだけで連続的な処理を行うことが可能となる。
【００６７】
なお、上述した実施の形態においては、支払指定領域１３にて公共サービスの提供元となる電話会社及びガス会社の名称とそれぞれのチェック欄とに青色印刷１３ａ及び黄色印刷１３ｂが施されているが、チェック欄のみに青色印刷１３ａ及び黄色印刷１３ｂを施す構成としてもよい。
【００６８】
また、上述した実施の形態においては、図１に示したカード支払い申込書の支払指定領域１３のうち青色印刷１３ａが施された領域と黄色印刷１３ｂが施された領域とのいずれの領域に印字及び記入された情報を読み取るかが印刷色指定部３にて印刷色にて指定され、画像読取部２，１０２において、印刷色指定部３にて指定された印刷色にて反射する可視光を照射した状態にて読み取られた画像データが出力されているが、カード支払い申込書の支払指定領域１３のうち青色印刷１３ａが施された領域と黄色印刷１３ｂが施された領域とのいずれの領域に印字及び記入された情報を隠蔽するかが印刷色指定部３にて印刷色にて指定され、画像読取部２，１０２において、印刷色指定部３にて指定されてない方の印刷色にて反射する可視光を照射した状態にて読み取られた画像データが出力される構成とすることも考えられる。
【００６９】
また、読み取り画像表示部４における画像データの表示のタイミングや、送信先設定部１における画像データの送信先の設定のタイミングは上述したものに限らず任意のタイミングにて行うことができる。例えば、印刷色指定部３にて指定された色に基づいて、その色による印刷が施された領域に記載された公共サービスの提供元が認識され、その提供元が送信先として自動的に設定されることが考えられる。また、図８に示したものにおいては、印刷色指定部３にて指定された色について連続的に処理が行われるため、印刷色指定部３にて色が指定される前に送信先を設定しておいてもよい。
【００７０】
また、青色印刷１３ａや黄色印刷１３ｂが施される領域は、情報が記入される領域に限らず、プリンタ等によって情報が印字される領域であってもよい。
【００７１】
また、上述した実施の形態においては、画像読取装置としてファクシミリ装置を例に挙げて説明したが、本発明はこれに限定されるものではない。例えば、カード支払い申込書から読み取った画像データを電子データとしてそのまま送信するものであれば、公共サービスの提供元において、電子データとして画像データを取得することができる。
【００７２】
また、上述した実施の形態においては、支払指定領域１３において、電話会社名とそのチェック欄とが青色印刷１３ａが施され、また、ガス会社名とそのチェック欄とが黄色印刷１３ｂが施されているが、印刷が施される色とその数はこれらに限らず、複数の情報表示欄が、互いに異なる波長を具備する可視光のみを反射し、その他の波長を具備する可視光を吸収する印刷がそれぞれ施されている構成であればよい。
【図面の簡単な説明】
【００７３】
【図１】本発明の印刷物の実施の一形態となるカード支払い申込書の一例を示す図であり、（ａ）は表面から見た図、（ｂ）は裏面から見た図、（ｃ）は（ａ）に示したＡ−Ａ’断面図である。
【図２】図１に示したカード支払い申込書を折り畳んだ状態を示す図であり、（ａ）は申込片側から見た図、（ｂ）は隠蔽片側から見た図、（ｃ）は（ａ）に示したＡ−Ａ’断面図である。
【図３】図１に示したカード支払い申込書に記載された情報を読み取って画像データとして送信する画像読取装置であるファクシミリ装置の第１の実施の形態を示す図である。
【図４】図１に示したカード支払い申込書に印字あるいは記入された情報が図３に示したファクシミリ装置にて読み取られその画像データが送信されるまでの処理を説明するためのフローチャートである。
【図５】図１に示したカード支払い申込書に記載された情報が図３に示したファクシミリ装置にて読み取られて表示された状態を示す図であり、（ａ）は印刷色指定部にて青色が指定された場合の状態を示す図、（ｂ）は印刷色指定部にて黄色が指定された場合の状態を示す図である。
【図６】図１に示したカード支払い申込書に記載された情報を読み取って画像データとして送信する画像読取装置であるファクシミリ装置の第２の実施の形態を示す図である。
【図７】図１に示したカード支払い申込書に印字あるいは記入された情報が図６に示したファクシミリ装置にて読み取られその画像データが送信されるまでの処理を説明するためのフローチャートである。
【図８】図１に示したカード支払い申込書に記載された情報を読み取って画像データとして送信する画像読取装置であるファクシミリ装置の第３の実施の形態を示す図である。
【図９】図１に示したカード支払い申込書に印字あるいは記入された情報が図８に示したファクシミリ装置にて読み取られその画像データが送信されるまでの処理を説明するためのフローチャートである。
【図１０】公共料金をカードを用いて支払う旨を申し込むための従来のカード支払い申込書の一例を示す図であり、（ａ）は表面から見た図、（ｂ）は裏面から見た図、（ｃ）は（ａ）に示したＡ−Ａ’断面図である。
【図１１】図１０に示したカード支払い申込書を折り畳んだ状態を示す図であり、（ａ）は申込片側から見た図、（ｂ）は隠蔽片側から見た図、（ｃ）は（ａ）に示したＡ−Ａ’断面図である。
【符号の説明】
【００７４】
１    送信先設定部
２，１０２    画像読取部
２ａ    光照射部
２ｂ，１０２ａ    読取部
３    印刷色指定部
４    読み取り画像表示部
５    読み取り画像送信部
６    制御部
７    チェック有無検出部
１０    申込片
１１    宛先情報
１２    説明情報
１３    支払指定領域
１３ａ    青色印刷
１３ｂ    黄色印刷
１４    顧客情報記入領域
１５    カード情報記入領域
２０    隠蔽片
２１，２２    情報
３０    折り線
４０    剥離紙
４１    紙基材
４２    剥離剤
５０    ベース基材
６０    粘着剤
１０２ｂ    色調変換部
【図１】
2006297790.tif 000003
【図２】
2006297790.tif 000004
【図３】
2006297790.tif 000005
【図４】
2006297790.tif 000006
【図５】
2006297790.tif 000007
【図６】
2006297790.tif 000008
【図７】
2006297790.tif 000009
【図８】
2006297790.tif 000010
【図９】
2006297790.tif 000011
【図１０】
2006297790.tif 000012
【図１１】
2006297790.tif 000013